(57)【要約】【課題】再生位置による画像再生の制御を適正に行って使い勝手を向上させる。【解決手段】撮像装置１００であって、撮像部１により撮像された被写体に係る複数の画像ファイルＦ１を記憶するとともに、複数の画像毎に表示部５による当該画像の再生許可位置及び再生禁止位置に係る再生制御情報を含むシステムファイルＦ２を登録する内蔵メモリ８と、現在位置を測位するＧＰＳユニットと、測位された現在位置とシステムファイルに登録されている再生制御情報を比較して、表示部による画像の再生を制御するＣＰＵ９とを備える。【選択図】図１
2010062903.tif 000002
【特許請求の範囲】
【請求項１】
撮像された被写体に係る複数の画像を記憶する画像記憶手段と、
前記画像記憶手段に記憶されている画像を再生する再生手段と、
前記複数の画像毎に前記再生手段による当該画像の再生許可位置及び再生禁止位置に係る再生許否情報を登録する登録手段と、
現在位置を測位する測位手段と、
前記測位手段により測位された前記現在位置と前記登録手段に登録されている前記再生許否情報を比較して、前記再生手段による画像の再生を制御する再生制御手段と、
を備えることを特徴とする画像再生装置。
【請求項２】
前記再生制御手段は、前記測位手段により測位された前記現在位置が再生禁止位置として登録されている画像については、前記再生手段による当該画像の再生を禁止し、前記測位手段により測位された前記現在位置が再生許可位置として登録されている画像については、前記再生手段による当該画像の再生を許可することを特徴とする請求項１に記載の画像再生装置。
【請求項３】
前記登録手段は、各画像に対して、再生許可位置及び再生禁止位置を複数登録することを特徴とする請求項１に記載の画像再生装置。
【請求項４】
前記登録手段は、所定の位置に対して、再生を許可する画像と再生を禁止する画像とを複数登録することを特徴とする請求項１に記載の画像再生装置。
【請求項５】
前記画像記憶手段に記憶されている前記複数の画像のうち、再生許否の対象に係る対象画像及び対象位置を指示する登録操作を行うための登録操作入力手段をさらに備え、
前記登録手段は、前記登録操作入力手段により指示された前記対象画像に対して、前記対象位置を前記再生許可位置又は前記再生禁止位置として登録することを特徴とする請求項１〜４の何れか一項に記載の画像再生装置。
【請求項６】
前記測位手段は、前記登録操作入力手段により前記登録操作が行われた登録操作位置を測位し、
前記登録手段は、前記測位手段により測位された登録操作位置を前記再生許可位置又は前記再生禁止位置として自動的に登録することを特徴とする請求項５に記載の画像再生装置。
【請求項７】
前記登録手段は、前記再生手段による画像の再生中に、前記登録操作入力手段により前記登録操作が行われると、当該再生中の画像を前記対象画像として自動的に登録することを特徴とする請求項５又は６に記載の画像再生装置。
【請求項８】
前記測位手段は、前記登録操作入力手段により前記登録操作が行われた登録操作位置を測位し、
前記登録手段は、前記再生手段による画像の再生中に、前記登録操作入力手段により前記登録操作が行われることで前記測位手段により測位された登録操作位置を、当該再生中の画像に対する前記再生許可位置又は前記再生禁止位置として自動的に登録することを特徴とする請求項５に記載の画像再生装置。
【請求項９】
前記登録操作入力手段は、前記対象画像の再生を前記対象位置でのみ許可し、且つ、当該対象位置以外の位置で禁止するか、或いは、前記対象画像の再生を前記対象位置でのみ禁止し、且つ、当該対象位置以外の位置で許可するか、或いは、前記対象画像の再生を前記対象位置で禁止し、且つ、当該対象位置以外の位置での再生許否を位置以外の他の条件で制御するかを選択指示することを特徴とする請求項５〜８の何れか一項に記載の画像再生装置。
【請求項１０】
前記登録操作入力手段は、前記登録手段に登録されている前記対象画像の再生許否内容の変更を指示し、
前記登録操作入力手段による変更指示に係る前記対象画像の前記対象位置の他に当該対象画像の再生が許可されている再生許可位置があるか否かを判定する位置判定手段と、
前記位置判定手段によって当該対象画像の再生許可位置があると判定された場合に、前記登録手段に登録される前記対象画像の再生許否内容の変更を許可する変更許可手段と、をさらに備えることを特徴とする請求項５〜９の何れか一項に記載の画像再生装置。
【請求項１１】
前記画像記憶手段に記憶されている前記複数の画像の一括削除を指示する削除操作を行うための削除操作入力手段を備え、
前記測位手段は、前記削除操作入力手段により前記削除操作が行われた削除操作位置を測位し、
前記一括削除に係る前記複数の画像の中に、前記測位手段により測位された前記削除操作位置を再生禁止位置として前記登録手段に登録されている再生禁止画像が含まれている否かを判定する削除画像判定手段と、
前記削除画像判定手段により前記再生禁止画像が含まれていると判定された場合に、前記複数の画像の一括削除を抑制する削除抑制処理を行う削除抑制手段と、をさらに備えることを特徴とする請求項１〜１０の何れか一項に記載の画像再生装置。
【請求項１２】
前記削除抑制手段は、前記複数の画像の一括削除を中止するか、或いは、当該一括削除前に所定の警告を行うことを特徴とする請求項１１に記載の画像再生装置。
【請求項１３】
前記削除抑制手段は、前記複数の画像のうち、前記再生禁止画像の削除を禁止して当該再生禁止画像以外の画像を削除することを特徴とする請求項１１に記載の画像再生装置。
【請求項１４】
前記測位手段により前記現在位置が測位できたか否かを判定する測位判定手段をさらに備え、
前記再生制御手段は、前記測位判定手段により前記現在位置が測位できなかったと判定された場合に、前記登録手段に前記再生許否情報として再生禁止位置が登録されている画像の再生を禁止することを特徴とする請求項１〜１３の何れか一項に記載の画像再生装置。
【請求項１５】
前記再生手段により所定順序で再生される前記複数の画像のうち、再生済みの画像を指示するしおり情報を記憶するしおり記憶手段と、
前記複数の画像のうち、前記しおり記憶手段に記憶されている前記しおり情報によって指示される前記再生済み画像の前記再生手段による所定順序での再生を再開させる再開制御手段と、をさらに備えることを特徴とする請求項１〜１３の何れか一項に記載の画像再生装置。
【請求項１６】
前記測位手段は、前記再開制御手段により画像の再生が再開される再生再開位置を測位し、
前記複数の画像の中に、前記測位手段により測位された前記再生再開位置を再生禁止位置として前記登録手段に登録されている再生禁止画像が含まれている否かを判定する再生画像判定手段と、
前記再生画像判定手段により前記再生禁止画像が含まれていると判定された場合に、前記再生手段による所定順序での前記複数の画像の再生を中止するか、或いは、所定順序で再生される前記複数の画像の中に前記再生禁止画像が含まれている旨の警告を行う再開抑制手段と、をさらに備えることを特徴とする請求項１５に記載の画像再生装置。
【請求項１７】
前記再開抑制手段は、前記複数の画像の中に前記再生禁止画像が含まれている旨の警告を行った後、前記複数の画像のうち、前記再生禁止画像以外の画像を前記再生手段により所定順序で再生させることを特徴とする請求項１６に記載の画像再生装置。
【請求項１８】
前記しおり記憶手段は、複数の前記対象位置に応じて前記しおり情報を複数記憶し、
前記再開制御手段は、前記しおり記憶手段に記憶されている前記複数のしおり情報の中で、前記測位手段により測位された前記現在位置に応じて前記しおり情報を変更して前記再生済み画像の前記再生手段による所定順序での再生を再開させることを特徴とする請求項１５〜１７の何れか一項に記載の画像再生装置。
【請求項１９】
前記再生制御手段は、位置以外の他の条件に基づいて、前記再生手段による画像の再生を制御することを特徴とする請求項１〜１８の何れか一項に記載の画像再生装置。
【請求項２０】
前記再生制御手段は、前記複数の画像のうち、顔を含む画像の再生を制御することを特徴とする請求項１９に記載の画像再生装置。
【請求項２１】
前記登録手段は、前記複数の画像毎に、前記再生許否情報か、或いは、前記他の条件によって前記再生手段による当該画像の再生許否を指示する他条件情報を登録することを特徴とする請求項１９又は２０に記載の画像再生装置。
【請求項２２】
前記登録手段は、さらに、前記再生許否情報として、前記再生手段による画像の強制的な再生に係る再生強制位置を登録することを特徴とする請求項１〜２１の何れか一項に記載の画像再生装置。
【請求項２３】
前記再生強制位置にて前記再生制御手段により前記画像の強制的な再生が行われると、前記登録手段に登録されている前記再生許否情報に係る前記再生強制位置を前記再生許可位置に変更する登録内容変更手段をさらに備えることを特徴とする請求項２２に記載の画像再生装置。
【請求項２４】
被写体を撮像する撮像手段と、
前記撮像手段により撮像された被写体に係る複数の画像を記憶する画像記憶手段と、
前記画像記憶手段に記憶されている画像を再生する再生手段と、
前記複数の画像毎に前記再生手段による当該画像の再生許可位置及び再生禁止位置に係る再生許否情報を登録する登録手段と、
現在位置を測位する測位手段と、
前記測位手段により測位された前記現在位置と前記登録手段に登録されている前記再生許否情報を比較して、前記再生手段による画像の再生を制御する再生制御手段と、
を備えることを特徴とする撮像装置。
【請求項２５】
撮像された被写体に係る複数の画像を記憶する画像記憶手段と、前記画像記憶手段に記憶されている画像を再生する再生手段と、現在位置を測位する測位手段とを備えるコンピュータを、
前記複数の画像毎に前記再生手段による当該画像の再生許可位置及び再生禁止位置に係る再生許否情報を登録する登録手段、
前記測位手段により測位された前記現在位置と前記登録手段に登録されている前記再生許否情報を比較して、前記再生手段による画像の再生を制御する再生制御手段、
として機能させることを特徴とするプログラム。
【発明の詳細な説明】
【技術分野】
【０００１】
本発明は、撮像された画像を再生する画像再生装置、撮像装置及びプログラムに関する。
【背景技術】
【０００２】
従来、撮像した複数の画像を記憶しておき、ユーザによる所定操作に応じて指示された画像を再生表示するデジタルカメラが知られている。
このデジタルカメラとしては、画像データに撮影位置情報を関連付けておき、再生位置と撮影位置が一致した場合のみ画像を再生し、一致しない場合には画像は再生しないようにしたものが知られている。
また、画像の撮影の際においても、特定の場所では特定条件を備えている使用者のみが撮影できるようにすることで、その他の者による撮影を禁止するものが知られている（例えば、特許文献１参照）。
【特許文献１】特開２００４−５６６２７号公報
【発明の開示】
【発明が解決しようとする課題】
【０００３】
ところで、上記特許文献１のように、画像の撮影を制御することで、再生される画像の取得を抑制することができるため、画像再生を間接的に制御することができると考えられる。
しかしながら、再生位置によって画像再生の制御ができない場合には、プライベート空間で私的に撮影した画像を誤って会社で再生してしまうなど、不用意な再生操作によってプライバシー流出の虞があった。
なお、再生位置と撮影位置を関連付けて画像再生を制御すると、再生可能な場所が限られてしまうことからデジタルカメラの使い勝手が良くないという問題がある。
【０００４】
そこで、本発明の課題は、再生位置による画像再生の制御を適正に行って使い勝手の良い画像再生装置、撮像装置及びプログラムを提供することである。
【課題を解決するための手段】
【０００５】
請求項１に記載の発明の画像再生装置は、
撮像された被写体に係る複数の画像を記憶する画像記憶手段と、前記画像記憶手段に記憶されている画像を再生する再生手段と、前記複数の画像毎に前記再生手段による当該画像の再生許可位置及び再生禁止位置に係る再生許否情報を登録する登録手段と、現在位置を測位する測位手段と、前記測位手段により測位された前記現在位置と前記登録手段に登録されている前記再生許否情報を比較して、前記再生手段による画像の再生を制御する再生制御手段と、を備えることを特徴としている。
【０００６】
請求項２に記載の発明は、請求項１に記載の画像再生装置において、
前記再生制御手段は、前記測位手段により測位された前記現在位置が再生禁止位置として登録されている画像については、前記再生手段による当該画像の再生を禁止し、前記測位手段により測位された前記現在位置が再生許可位置として登録されている画像については、前記再生手段による当該画像の再生を許可することを特徴としている。
【０００７】
請求項３に記載の発明は、請求項１に記載の画像再生装置において、
前記登録手段は、各画像に対して、再生許可位置及び再生禁止位置を複数登録することを特徴としている。
【０００８】
請求項４に記載の発明は、請求項１に記載の画像再生装置において、
前記登録手段は、所定の位置に対して、再生を許可する画像と再生を禁止する画像とを複数登録することを特徴としている。
【０００９】
請求項５に記載の発明は、請求項１〜４の何れか一項に記載の画像再生装置において、
前記画像記憶手段に記憶されている前記複数の画像のうち、再生許否の対象に係る対象画像及び対象位置を指示する登録操作を行うための登録操作入力手段をさらに備え、前記登録手段は、前記登録操作入力手段により指示された前記対象画像に対して、前記対象位置を前記再生許可位置又は前記再生禁止位置として登録することを特徴としている。
【００１０】
請求項６に記載の発明は、請求項５に記載の画像再生装置において、
前記測位手段は、前記登録操作入力手段により前記登録操作が行われた登録操作位置を測位し、前記登録手段は、前記測位手段により測位された登録操作位置を前記再生許可位置又は前記再生禁止位置として自動的に登録することを特徴としている。
【００１１】
請求項７に記載の発明は、請求項５又は６に記載の画像再生装置において、
前記登録手段は、前記再生手段による画像の再生中に、前記登録操作入力手段により前記登録操作が行われると、当該再生中の画像を前記対象画像として自動的に登録することを特徴としている。
【００１２】
請求項８に記載の発明は、請求項５に記載の画像再生装置において、
前記測位手段は、前記登録操作入力手段により前記登録操作が行われた登録操作位置を測位し、前記登録手段は、前記再生手段による画像の再生中に、前記登録操作入力手段により前記登録操作が行われることで前記測位手段により測位された登録操作位置を、当該再生中の画像に対する前記再生許可位置又は前記再生禁止位置として自動的に登録することを特徴としている。
【００１３】
請求項９に記載の発明は、請求項５〜８の何れか一項に記載の画像再生装置において、
前記登録操作入力手段は、前記対象画像の再生を前記対象位置でのみ許可し、且つ、当該対象位置以外の位置で禁止するか、或いは、前記対象画像の再生を前記対象位置でのみ禁止し、且つ、当該対象位置以外の位置で許可するか、或いは、前記対象画像の再生を前記対象位置で禁止し、且つ、当該対象位置以外の位置での再生許否を位置以外の他の条件で制御するかを選択指示することを特徴としている。
【００１４】
請求項１０に記載の発明は、請求項５〜９の何れか一項に記載の画像再生装置において、
前記登録操作入力手段は、前記登録手段に登録されている前記対象画像の再生許否内容の変更を指示し、前記登録操作入力手段による変更指示に係る前記対象画像の前記対象位置の他に当該対象画像の再生が許可されている再生許可位置があるか否かを判定する位置判定手段と、前記位置判定手段によって当該対象画像の再生許可位置があると判定された場合に、前記登録手段に登録される前記対象画像の再生許否内容の変更を許可する変更許可手段と、をさらに備えることを特徴としている。
【００１５】
請求項１１に記載の発明は、請求項１〜１０の何れか一項に記載の画像再生装置において、
前記画像記憶手段に記憶されている前記複数の画像の一括削除を指示する削除操作を行うための削除操作入力手段を備え、前記測位手段は、前記削除操作入力手段により前記削除操作が行われた削除操作位置を測位し、前記一括削除に係る前記複数の画像の中に、前記測位手段により測位された前記削除操作位置を再生禁止位置として前記登録手段に登録されている再生禁止画像が含まれている否かを判定する削除画像判定手段と、前記削除画像判定手段により前記再生禁止画像が含まれていると判定された場合に、前記複数の画像の一括削除を抑制する削除抑制処理を行う削除抑制手段と、をさらに備えることを特徴としている。
【００１６】
請求項１２に記載の発明は、請求項１１に記載の画像再生装置において、
前記削除抑制手段は、前記複数の画像の一括削除を中止するか、或いは、当該一括削除前に所定の警告を行うことを特徴としている。
【００１７】
請求項１３に記載の発明は、請求項１１に記載の画像再生装置において、
前記削除抑制手段は、前記複数の画像のうち、前記再生禁止画像の削除を禁止して当該再生禁止画像以外の画像を削除することを特徴としている。
【００１８】
請求項１４に記載の発明は、請求項１〜１３の何れか一項に記載の画像再生装置において、
前記測位手段により前記現在位置が測位できたか否かを判定する測位判定手段をさらに備え、前記再生制御手段は、前記測位判定手段により前記現在位置が測位できなかったと判定された場合に、前記登録手段に前記再生許否情報として再生禁止位置が登録されている画像の再生を禁止することを特徴としている。
【００１９】
請求項１５に記載の発明は、請求項１〜１３の何れか一項に記載の画像再生装置において、
前記再生手段により所定順序で再生される前記複数の画像のうち、再生済みの画像を指示するしおり情報を記憶するしおり記憶手段と、前記複数の画像のうち、前記しおり記憶手段に記憶されている前記しおり情報によって指示される前記再生済み画像の前記再生手段による所定順序での再生を再開させる再開制御手段と、をさらに備えることを特徴としている。
【００２０】
請求項１６に記載の発明は、請求項１５に記載の画像再生装置において、
前記測位手段は、前記再開制御手段により画像の再生が再開される再生再開位置を測位し、前記複数の画像の中に、前記測位手段により測位された前記再生再開位置を再生禁止位置として前記登録手段に登録されている再生禁止画像が含まれている否かを判定する再生画像判定手段と、前記再生画像判定手段により前記再生禁止画像が含まれていると判定された場合に、前記再生手段による所定順序での前記複数の画像の再生を中止するか、或いは、所定順序で再生される前記複数の画像の中に前記再生禁止画像が含まれている旨の警告を行う再開抑制手段と、をさらに備えることを特徴としている。
【００２１】
請求項１７に記載の発明は、請求項１６に記載の画像再生装置において、
前記再開抑制手段は、前記複数の画像の中に前記再生禁止画像が含まれている旨の警告を行った後、前記複数の画像のうち、前記再生禁止画像以外の画像を前記再生手段により所定順序で再生させることを特徴としている。
【００２２】
請求項１８に記載の発明は、請求項１５〜１７の何れか一項に記載の画像再生装置において、
前記しおり記憶手段は、複数の前記対象位置に応じて前記しおり情報を複数記憶し、前記再開制御手段は、前記しおり記憶手段に記憶されている前記複数のしおり情報の中で、前記測位手段により測位された前記現在位置に応じて前記しおり情報を変更して前記再生済み画像の前記再生手段による所定順序での再生を再開させることを特徴としている。
【００２３】
請求項１９に記載の発明は、請求項１〜１８の何れか一項に記載の画像再生装置において、
前記再生制御手段は、位置以外の他の条件に基づいて、前記再生手段による画像の再生を制御することを特徴としている。
【００２４】
請求項２０に記載の発明は、請求項１９に記載の画像再生装置において、
前記再生制御手段は、前記複数の画像のうち、顔を含む画像の再生を制御することを特徴としている。
【００２５】
請求項２１に記載の発明は、請求項１９又は２０に記載の画像再生装置において、
前記登録手段は、前記複数の画像毎に、前記再生許否情報か、或いは、前記他の条件によって前記再生手段による当該画像の再生許否を指示する他条件情報を登録することを特徴としている。
【００２６】
請求項２２に記載の発明は、請求項１〜２１の何れか一項に記載の画像再生装置において、
前記登録手段は、さらに、前記再生許否情報として、前記再生手段による画像の強制的な再生に係る再生強制位置を登録することを特徴としている。
【００２７】
請求項２３に記載の発明は、請求項２２に記載の画像再生装置において、
前記再生強制位置にて前記再生制御手段により前記画像の強制的な再生が行われると、前記登録手段に登録されている前記再生許否情報に係る前記再生強制位置を前記再生許可位置に変更する登録内容変更手段をさらに備えることを特徴としている。
【００２８】
請求項２４に記載の発明の撮像装置は、
被写体を撮像する撮像手段と、前記撮像手段により撮像された被写体に係る複数の画像を記憶する画像記憶手段と、前記画像記憶手段に記憶されている画像を再生する再生手段と、前記複数の画像毎に前記再生手段による当該画像の再生許可位置及び再生禁止位置に係る再生許否情報を登録する登録手段と、現在位置を測位する測位手段と、前記測位手段により測位された前記現在位置と前記登録手段に登録されている前記再生許否情報を比較して、前記再生手段による画像の再生を制御する再生制御手段と、を備えることを特徴としている。
【００２９】
請求項２５に記載の発明のプログラムは、
撮像された被写体に係る複数の画像を記憶する画像記憶手段と、前記画像記憶手段に記憶されている画像を再生する再生手段と、現在位置を測位する測位手段とを備えるコンピュータを、
前記複数の画像毎に前記再生手段による当該画像の再生許可位置及び再生禁止位置に係る再生許否情報を登録する登録手段、前記測位手段により測位された前記現在位置と前記登録手段に登録されている前記再生許否情報を比較して、前記再生手段による画像の再生を制御する再生制御手段、として機能させることを特徴としている。
【発明の効果】
【００３０】
本発明によれば、再生位置による画像再生の制御を適正に行って使い勝手の良い画像再生装置を提供することができる。
【発明を実施するための最良の形態】
【００３１】
以下に、本発明について、図面を用いて具体的な態様を説明する。ただし、発明の範囲は、図示例に限定されない。
【００３２】
［実施形態１］
図１は、本発明を適用した実施形態１の撮像装置１００の概略構成を示すブロック図である。
実施形態１の撮像装置１００は、ＧＰＳユニット２により測位された現在位置と複数の画像毎の再生制御情報を比較して、表示部５による画像の再生を制御する。
具体的には、図１に示すように、撮像装置１００は、撮像部１と、ＧＰＳユニット２と、記録媒体制御部３と、記録媒体４と、表示部５と、操作入力部６と、バッファメモリ７と、内蔵メモリ８と、ＣＰＵ９を備えて構成されている。
【００３３】
撮像部１は、撮像手段として、被写体を撮像して画像フレームを生成する。具体的には、図示は省略するが、撮像部１は、例えば、撮像レンズと、撮像レンズを通過した被写体像を二次元の画像信号に変換するＣＣＤ（Charge Coupled Device）やＣＭＯＳ（Complementary Metal-oxide Semiconductor）等からなる電子撮像部と、電子撮像部の制御や、ＡＥ（自動露出処理）、ＡＦ（自動合焦処理）、ＡＷＢ（自動ホワイトバランス）の制御などを行う撮像制御部等を備えている。
そして、撮像制御部は、電子撮像部に所定の露出時間で被写体を撮像させ、当該電子撮像部の撮像領域から画像フレームを読み出す。その後、撮像制御部は、読み出した画像フレームをバッファメモリ７に転送して格納する。
また、撮影時にライブビュー画像表示を行う場合には、撮像部１により被写体を所定の撮像フレームレートで連続して撮像してライブビュー画像表示用の画像フレームを逐次生成する。
【００３４】
ＧＰＳユニット２は、測位手段として、現在位置を測位する。具体的には、図示は省略するが、ＧＰＳユニット２は、例えば、ＧＰＳアンテナと、測位部等を備えている。
ＧＰＳアンテナは、地球低軌道に打ち上げられた複数のＧＰＳ衛星から送信されるＧＰＳ信号（例えば、アルマナック（概略軌道情報）やエフェメリス（詳細軌道情報）など）を受信して、当該受信したＧＰＳ信号を測位部に出力する。
測位部は、ＧＰＳアンテナから出力されたＧＰＳ信号に基づいて、撮像装置１００の絶対的な２次元の現在位置（緯度、経度）を測位する。
【００３５】
記録媒体制御部３は、記録媒体４に対する画像ファイルＦ１の格納や、記録媒体４からの画像ファイルＦ１の読み出しを制御する。
【００３６】
記録媒体４は、例えば、カード型の不揮発性メモリ（フラッシュメモリ）やハードディスク等により構成されている。
【００３７】
表示部５は、図示は省略するが、例えば、液晶などの画像表示部と、この画像表示部への画像フレームの表示を制御する表示制御部等を備えている。そして、撮影モードが設定されている場合に、撮像部１により撮像される画像フレームを所定のフレームレートで逐次更新しながらライブビュー画像表示する。
【００３８】
また、表示部５は、画像再生モードが設定されている場合に、再生手段として、フラッシュメモリから読み出された画像ファイルＦ１に基づいて、所定の画像を再生表示する（詳細後述）。
【００３９】
操作入力部６は、当該撮像装置１００の所定操作を行うためのものである。具体的には、図示は省略するが、操作入力部６は、撮像部１による被写体の記録を指示するシャッターボタンや、各種動作モードや各種項目の選択を行う上下左右のカーソルボタンや、これらカーソルボタンにより選択された動作モードや項目の決定を指示する決定ボタン等を備えている。
ここで、動作モードとしては、例えば、静止画像を撮影する静止画撮影モードや、動画像を撮影する動画撮影モードや、内蔵メモリ８や記録媒体４に記憶されている画像を再生する画像再生モード等が挙げられる。
【００４０】
また、操作入力部６は、後述する登録処理にて、ユーザによりカーソルボタンや決定ボタンが所定操作（登録操作）されることによって、内蔵メモリ８に記憶されている複数の画像のうち、再生許否の対象に係る対象画像及び再生制御位置（対象位置）を指示する。
また、操作入力部６は、対象画像の再生許否に係る再生制御内容として、１．「対象画像の再生を再生制御位置でのみ許可する」、２．「対象画像の再生を再生制御位置でのみ禁止する」、３．「対象画像の再生を再生制御位置で禁止する」、４．「対象画像を再生制御位置で強制的に再生する」の何れかと対応付けられて表示部５に表示された項目を選択して指示する。
なお、３．「対象画像の再生を再生制御位置で禁止する」の場合には、当該再生制御位置以外の位置での再生許否を位置以外の他の条件で制御するようにしても良い。
ここで、操作入力部６は、登録操作を行うための登録操作入力手段を構成している。
【００４１】
バッファメモリ７は、例えば、フラッシュメモリ等により構成され、ＣＰＵ９によって処理されるデータ等を一時記憶する。
【００４２】
ＣＰＵ９は、撮像装置１００の各部を制御するものである。具体的には、ＣＰＵ９は、内蔵メモリ８のプログラムメモリ（後述）に記憶された撮像装置１００用の各種処理プログラムに従って各種の制御動作を行うものである。
【００４３】
内蔵メモリ８は、画像記憶手段として、撮像された被写体に係る複数の画像ファイルＦ１、…を記憶する。
なお、画像ファイルＦ１は、記録媒体４を画像記憶手段として記憶されていても良い。
【００４４】
また、内蔵メモリ８は、画像データの再生制御に係るシステムファイルＦ２を記憶する。
システムファイルＦ２は、複数の画像毎に当該画像の再生許否に係る再生許可位置、再生強制位置及び再生禁止位置を関連付けた再生制御情報（再生許否情報）を含む。具体的には、図２に示すように、システムファイルＦ２は、各画像ファイルＦ１と複数の位置情報との関係を記録するものであり、各地点において、各画像の再生を許可するか（○；再生許可位置）、強制的に再生するか（●；再生強制位置）、或いは、禁止するか（×；再生禁止位置）をリスト形式で保持してある。例えば、地点Ａでは、CIMG0001.JPG、CIMG0004.JPGは再生許可に係る「○」と対応付けられ、CIMG0002.JPG、CIMG0003.JPGは再生禁止に係る「×」と対応付けられている。また、地点Ｂでは、CIMG0001.JPGは再生許可に係る「○」と対応付けられ、CIMG0002.JPGは強制的な再生に係る「●」と対応付けられ、CIMG0003.JPG、CIMG0004.JPGは再生禁止に係る「×」と対応付けられている。また、地点Ｃでは、CIMG0001.JPG、CIMG0002.JPG、CIMG0003.JPG、CIMG0004.JPGの何れも再生禁止に係る「×」と対応付けられている。このように、システムファイルＦ２には、地点Ａ〜地点Ｃ等の所定の位置に対して、再生を許可する画像と再生を禁止する画像とが複数登録されている。
ここで、内蔵メモリ８は、複数の画像毎に表示部５による当該画像の再生許可位置及び再生禁止位置、並びに画像の強制的な再生に係る再生強制位置に係る再生制御情報（再生許否情報）を登録する登録手段として機能する。
なお、再生許可位置、再生禁止位置及び再生強制位置は、撮像装置１００の絶対的な２次元の位置（緯度、経度）に基づいて厳密に規定しても良いが、例えば、自宅、会社、駅、映画館などの中心座標を中心として所定半径の範囲内の領域として規定しても良い。
【００４５】
また、内蔵メモリ８は、ＣＰＵ９の動作に必要な各種プログラムやデータを記憶するプログラムメモリを備えている。
このプログラムは、後述する登録制御処理ルーチン、再生制御処理ルーチン、登録内容変更処理ルーチンを含む。
ここでいうルーチンとは、コンピュータのプログラムの部分をなし、ある機能をもった一連の命令群のことである。
【００４６】
登録制御処理ルーチンは、ＣＰＵ９を登録手段として機能させるためのプログラム部分である。即ち、登録制御処理ルーチンは、内蔵メモリ８に、複数の画像毎に表示部５による当該画像の再生許可位置及び再生禁止位置に係る再生制御情報を登録させる登録制御処理に係る機能をＣＰＵ９に実現させるための命令群を含む。
具体的には、この登録制御処理ルーチンにより、ＣＰＵ９は、ユーザによる操作入力部６の所定操作に基づいて指示された対象画像に対して、登録操作が行われた登録操作位置や既に登録されている位置等の再生制御位置を再生許可位置又は再生禁止位置として内蔵メモリ８のシステムファイルＦ２に登録する。
また、画像の再生表示中に、ユーザによる操作入力部６の所定操作に基づいて再生制御位置を登録する登録操作が行われると、ＣＰＵ９は、当該再生中の画像を対象画像として自動的に内蔵メモリ８のシステムファイルＦ２に登録する。
また、画像の再生表示中に、ユーザによる操作入力部６の所定操作に基づいて登録操作が行われてＧＰＳユニット２により測位された登録操作位置を、ＣＰＵ９は、当該再生中の画像に対する再生許可位置又は再生禁止位置として自動的に内蔵メモリ８のシステムファイルＦ２に登録する。
【００４７】
再生制御処理ルーチンは、ＣＰＵ９を再生制御手段として機能させるためのプログラム部分である。即ち、再生制御処理ルーチンは、ＧＰＳユニット２により測位された撮像装置１００の現在位置と内蔵メモリ８のシステムファイルＦ２に登録されている再生制御情報を比較して、表示部５による画像の再生を制御する再生制御処理に係る機能をＣＰＵ９に実現させるための命令群を含む。
具体的には、この再生制御処理ルーチンにより、ＣＰＵ９は、撮像装置１００の現在位置が再生許可位置であるのか、或いは、再生強制位置であるのか、或いは、再生禁止位置であるのかを判定して、判定結果に応じて表示部５による画像の再生表示を制御する。即ち、ＣＰＵ９は、ＧＰＳユニット２により測位された現在位置が再生禁止位置として登録されている画像については、表示部５による当該画像の再生を禁止し、ＧＰＳユニット２により測位された現在位置が再生許可位置として登録されている画像については、表示部５による当該画像の再生を許可する。同様に、ＣＰＵ９は、ＧＰＳユニット２により測位された現在位置が再生強制位置として登録されている画像については、表示部５により当該画像を強制的に再生させる。
【００４８】
登録内容変更処理ルーチンは、ＣＰＵ９を登録内容変更手段として機能させるためのプログラム部分である。即ち、登録内容変更処理ルーチンは、再生強制位置にて画像の強制的な再生が行われると、ＣＰＵ９は、内蔵メモリ８のシステムファイルＦ２に登録されている再生許否情報に係る再生強制位置を再生許可位置に変更する登録内容変更処理に係る機能をＣＰＵ９に実現させるための命令群を含む。
【００４９】
図３、図４、図６〜図８、図１０〜図１２は、撮像装置１００の全体の動作を説明するためのフローチャートであるとともに、プログラムメモリに記憶されたプログラムのアルゴリズム構造を示すフローチャートである。実際に使用するＣＰＵ９に対応した具体的なプログラムコードの記載は省略するが、このフローチャート（アルゴリズム構造）に基づいて適宜設計すればよい。
【００５０】
次に、登録処理について図３を参照して説明する。
図３は、登録処理に係る動作の一例を示すフローチャートである。
【００５１】
登録処理は、ユーザによる操作入力部６の所定操作に基づいて、表示部５に所定の画像が表示されている状態で、登録処理モードが選択された場合に表示中の画像を対象画像として実行される処理である。
登録処理モードに移行すると、登録制御処理ルーチンにより、先ず、ＣＰＵ９は、再生制御位置の入力を受け付ける。具体的には、ＣＰＵ９は、内蔵メモリ８から再生制御位置設定画面（図示略）に係る表示制御データを読み出し当該表示制御データに基づいて、再生制御位置設定画面を表示部５に表示させる。そして、ＣＰＵ９は、再生制御位置をＧＰＳユニット２により測位される現在位置とするか、既に登録されている位置とするかの選択入力を受け付ける（ステップＳ１）。
ここで、再生制御位置を現在位置とする選択が入力された場合に、当該現在位置が未だシステムファイルＦ２に登録されていないと、ＣＰＵ９は、入力された現在位置をシステムファイルＦ２に登録する。
【００５２】
そして、ユーザによる操作入力部６の所定操作に基づいて再生制御位置が入力されると（ステップＳ２；ＹＥＳ）、ＣＰＵ９は、再生制御内容の入力を受け付ける。具体的には、ＣＰＵ９は、内蔵メモリ８から再生制御内容設定画面に係る表示制御データを読み出し当該表示制御データに基づいて、再生制御内容設定画面を表示部５に表示させる。そして、ＣＰＵ９は、再生制御内容を１．「対象画像の再生を再生制御位置でのみ許可する」、２．「対象画像の再生を再生制御位置でのみ禁止する」、３．「対象画像の再生を再生制御位置で禁止する」、４．「対象画像を再生制御位置で強制的に再生する」の何れとするのかの選択を受け付け、選択内容に応じて処理を分岐させる（ステップＳ３）。
【００５３】
ステップＳ３にて、１．「対象画像の再生を再生制御位置でのみ許可する」が選択されると（ステップＳ３；再生制御位置でのみ再生許可）、ＣＰＵ９は、内蔵メモリ８に記憶されているシステムファイルＦ２の当該画像の再生制御情報を、再生制御位置を再生許可位置とし、再生制御位置以外の位置での再生を再生禁止位置とするように設定する（ステップＳ４１）。
また、ステップＳ３にて、２．「対象画像の再生を再生制御位置でのみ禁止する」が選択されると（ステップＳ３；再生制御位置でのみ再生禁止）、ＣＰＵ９は、システムファイルＦ２の当該画像の再生制御情報を、再生制御位置を再生禁止位置とし、再生制御位置以外の位置での再生を再生許可位置とするように設定する（ステップＳ４２）。
また、ステップＳ３にて、３．「対象画像の再生を再生制御位置で禁止する」が選択されると（ステップＳ３；再生制御位置で再生禁止）、ＣＰＵ９は、システムファイルＦ２の当該画像の再生制御情報を、再生制御位置を再生許可位置とするように設定する（ステップＳ４３）。
また、ステップＳ３にて、３．「対象画像を再生制御位置で強制的に再生する」が選択されると（ステップＳ３；再生制御位置で強制再生）、ＣＰＵ９は、システムファイルＦ２の当該画像の再生制御情報を、再生制御位置を再生強制位置とするように設定する（ステップＳ４４）。
【００５４】
次に、再生処理について図４を参照して説明する。
図４は、再生処理に係る動作の一例を示すフローチャートである。
なお、再生処理にあっては、内蔵メモリ８や記録媒体４に記憶されている複数の画像を順次読み出して所定間隔を空けて表示するものとする。
【００５５】
再生処理は、ユーザによる操作入力部６の所定操作に基づいて、画像再生モードが選択された場合に実行される処理である。
画像再生モードに移行すると、再生制御処理ルーチンにより、ＣＰＵ９の制御下にて、ＧＰＳユニット２は、撮像装置１００の現在位置（例えば、地点Ａ）を測位して、現在位置データを生成して取得する（ステップＳ５１）。
【００５６】
続けて、ＣＰＵ９は、内蔵メモリ８のシステムファイルＦ２から表示部５に最初に再生表示する画像ファイルＦ１（例えば、CIMG0001.JPG）と対応付けられている再生制御情報を読み出した後（ステップＳ５２）、ＧＰＳユニット２により取得された現在位置データに基づいて、撮像装置１００の現在位置と対応付けられている再生制御内容を検出する（ステップＳ５３）。
【００５７】
次に、ＣＰＵ９は、現在位置を再生強制位置として強制的に再生される画像があるか否かを判定する（ステップＳ５４）。例えば、現在位置が地点Ａである場合には、現在位置を再生強制位置とする画像がないため、ステップＳ５４にて、強制的に再生される画像はないと判定され（ステップＳ５４；ＮＯ）、続けて、ＣＰＵ９は、最初に再生表示する画像ファイルＦ１の再生制御内容に応じて処理を分岐させる（ステップＳ５５）。
ここで、現在位置（再生制御位置）が再生許可位置である場合には（ステップＳ５５；許可）、ＣＰＵ９は、内蔵メモリ８から画像ファイルＦ１を読み出して、ＹＵＶ形式の画像データを生成した後、必要に応じて解像度変換処理を行って表示部５に出力して再生表示させる（ステップＳ５６）。例えば、現在位置が地点Ａである場合には、CIMG0001.JPGの画像は、地点Ａが再生許可位置として登録されていることから、ステップＳ５６に移行して、表示部５に再生表示される。
その後、ＣＰＵ９は、再生処理の対象となる画像を、内蔵メモリ８に記憶されている複数の画像ファイルＦ１、…の中で次の画像（例えば、CIMG0002.JPG）に変更設定する（ステップＳ５７）。
また、現在位置（再生制御位置）が再生禁止位置である場合には（ステップＳ５５；禁止）、ＣＰＵ９は、処理をステップＳ５７に移行させて、それ以降の処理を繰り返し実行する。
【００５８】
一方、例えば、現在位置が地点Ｂである場合には、CIMG0002.JPGの画像は地点Ｂが再生強制位置とされていることから、ステップＳ５４にて、強制的に再生される画像があると判定されることとなり（ステップＳ５４；ＹＥＳ）、ＣＰＵ９は、内蔵メモリ８から地点Ｂを強制再生位置とする画像ファイルＦ１（例えば、CIMG0002.JPG）を読み出して、ＹＵＶ形式の画像データを生成した後、必要に応じて解像度変換処理を行って表示部５に出力して再生表示させる（ステップＳ５８）。
続けて、登録内容変更処理ルーチンにより、ＣＰＵ９は、内蔵メモリ８のシステムファイルＦ２に登録されている再生制御情報に係る再生強制位置を再生許可位置に変更した後（ステップＳ５９）、処理をステップＳ５４に戻して、それ以降の処理を繰り返し実行する。
【００５９】
以上のように、本実施形態の撮像装置１００によれば、ユーザによる操作入力部６の所定操作に基づいて指示された対象画像に対して、再生制御位置を再生許可位置、再生禁止位置、再生強制位置として登録しておく。即ち、ユーザによる操作入力部６の所定操作に基づいて、対象画像の再生を再生制御位置でのみ許可し、且つ、当該再生制御位置以外の位置で禁止するか、或いは、対象画像の再生を再生制御位置でのみ禁止し、且つ、当該再生制御位置以外の位置で許可するか、或いは、対象画像の再生を再生制御位置で禁止するかを選択指示する。
そして、ＧＰＳユニット２により測位された現在位置と内蔵メモリ８のシステムファイルＦ２に登録されている再生許可位置及び再生禁止位置に係る再生制御情報を比較して、表示部５による画像の再生表示を制御することができる。
これにより、例えば、会社で家族のプライベートに関する画像の再生を禁止したり、家では会社の機密に関する画像の再生を禁止するといったように、所望の再生位置における画像の再生許否を制御できることとなって、不用意な再生によるプライバシーの流出を防止することができるだけでなく、撮影位置など他の要素の制限を受けることなく再生制御位置の設定ができることから、撮像装置１００の使い勝手を向上させることができる。
また、画像を強制的に再生表示した場合には、内蔵メモリ８のシステムファイルＦ２に登録されている再生制御情報に係る再生強制位置を再生許可位置に変更するので、その後は通常の再生処理にて他の画像と同様に再生表示することができる。
【００６０】
また、対象画像に対して再生許否を登録する際に、ＧＰＳユニット２により測位された登録操作位置を再生許可位置又は再生禁止位置として自動的にシステムファイルＦ２に登録するので、登録操作位置を再生制御位置とすることができ、撮像装置１００の使い勝手をより向上させることができる。このとき、ＧＰＳユニット２により測位された現在位置がシステムファイルＦ２に既に登録されている場合には、新たに位置情報を追加せずに既に登録されている位置情報を用いることで、システムファイルＦ２が不用意に増大してしまうのを防止することができる。
さらに、再生制御位置の登録の際に、既に登録されている他の位置を選択指示することができるため、会社や自宅といった使用頻度の高い位置情報を登録操作の度に入力するという手間が省け、登録操作をより簡便なものとすることができ、ユーザの登録操作に係る時間をより短時間にすることができる。
【００６１】
また、表示部５による画像の再生表示中に、ユーザによる操作入力部６の所定操作に基づいて再生許否内容の登録操作が行われると、当該再生中の画像を対象画像として自動的にシステムファイルＦ２に登録するので、撮像装置１００の使い勝手をより向上させることができる。特に、表示部５による画像の再生表示中に、ユーザによる操作入力部６の所定操作に基づいて再生許否内容の登録操作が行われた際にＧＰＳユニット２により測位された登録操作位置を、当該再生中の画像に対する再生許可位置又は再生禁止位置として自動的にシステムファイルＦ２に登録するので、再生中の画像に対して登録操作位置を再生制御位置とすることができ、撮像装置１００の使い勝手をより向上させることができる。
【００６２】
さらに、複数の画像の各々の再生許否を複数の地点に対して設定して制御することができるため、撮像装置１００の使い勝手をより向上させることができる。
【００６３】
なお、図４におけるステップＳ５１にて測位された現在位置が、例えば、地点Ｃである場合には、CIMG0001.JPG、CIMG0002.JPG、CIMG0003.JPG、CIMG0004.JPGの何れもが再生禁止位置として登録されているため、表示部５に再生表示できる画像がないが、かかる場合には、表示部５は、例えば、「現在位置で再生できる画像はありません」等を表示して、再生表示できる画像がない旨を報知するようにしても良い。
これにより、現在位置で再生できる画像がない場合であっても、ユーザに対して内蔵メモリ８に画像ファイルＦ１が記憶されていることを報知することができ、画像ファイルＦ１が全く記憶されていないという誤解を生じさせることがない。
【００６４】
また、上記実施形態１にあっては、再生制御情報を内蔵メモリ８のシステムファイルＦ２に記憶するようにしたが、各画像ファイルＦ１のユーザ領域に再生許可位置や再生禁止位置を記憶するようにしても良い。即ち、再生処理にあっては、図４におけるステップＳ５２にて、画像ファイルＦ１内にある再生制御情報を読み出すようにしても良い。
これにより、画像ファイルＦ１を他の画像再生装置に移動させても、当該画像ファイルＦ１に記憶されている再生制御情報に基づいて、再生制御を行うことができる。
【００６５】
また、上記実施形態１にあっては、各画像ファイルＦ１毎に再生制御情報を登録するようにしたが、例えば、図５に示すように、複数の画像ファイルＦ１、…を記憶するフォルダ毎（例えば、100AREA1、100AREA2、100AREA3等）に再生制御情報を登録しても良い。
これにより、複数の画像ファイルＦ１、…毎に再生制御情報を登録する必要がなくなって、再生制御の管理を容易に行うことができるとともに、再生制御情報の判定の処理効率を向上させることができる。
【００６６】
［実施形態２］
以下に、実施形態２の撮像装置について図６を参照して説明する。
実施形態２の撮像装置は、図６に示すように、複数の画像ファイルＦ１、…の一括削除において、再生禁止画像が含まれている場合には、当該一括削除を抑制する削除抑制処理を行う。
なお、実施形態２の撮像装置は、削除抑制処理を行う以外の点で上記実施形態１の撮像装置１００と略同様の構成をなし、その説明は省略する。
【００６７】
即ち、プログラムメモリに記憶されるプログラムは、削除画像判定処理ルーチン及び削除抑制処理ルーチンを含んでいる。
削除画像判定処理ルーチンは、ＣＰＵ９を削除画像判定手段として機能させるためのプログラム部分である。即ち、削除画像判定処理ルーチンは、ユーザによる操作入力部（削除操作入力手段）６の画像全消去キー（図示略）の所定操作に基づいて内蔵メモリ８に記憶されている複数の画像ファイルＦ１、…の一括削除を指示する削除操作が行われた場合に、当該一括削除に係る複数の画像ファイルＦ１、…の中に、ＧＰＳユニット２により測位された削除操作位置を再生禁止位置として内蔵メモリ８に登録されている再生禁止画像が含まれている否かを判定する削除画像判定処理に係る機能をＣＰＵ９に実現させるための命令群を含む。
【００６８】
削除抑制処理ルーチンは、ＣＰＵ９を削除抑制手段として機能させるためのプログラム部分である。即ち、削除抑制処理ルーチンは、削除画像判定処理にて再生禁止画像が含まれていると判定された場合に、複数の画像ファイルＦ１の一括削除を抑制する削除抑制処理に係る機能をＣＰＵ９に実現させるための命令群を含む。
具体的には、この削除抑制処理ルーチンにより、ＣＰＵ９は、複数の画像の一括削除を中止するか、或いは、当該一括削除前に、例えば、「現在位置にて再生できない画像ファイルも消去される」等の所定の警告画面（図示略）を表示部５に表示させる。
【００６９】
次に、画像消去処理について図６を参照して説明する。
図６は、画像消去処理に係る動作の一例を示すフローチャートである。
【００７０】
画像消去処理は、ユーザによる操作入力部６の所定操作に基づいて、画像消去モードが選択された場合に実行される処理である。
ユーザによる操作入力部６の画像全消去キー（図示略）の所定操作に基づいて内蔵メモリ８に記憶されている全ての画像ファイルＦ１の一括削除が指示されると（ステップＳ２０１）、ＣＰＵ９の制御下にて、ＧＰＳユニット２は、ユーザにより当該一括削除が指示された削除操作位置を測位して、削除操作位置データを生成して取得する（ステップＳ２０２）。
【００７１】
次に、削除画像判定処理ルーチンにより、ＣＰＵ９は、当該一括削除に係る複数の画像ファイルＦ１、…の中に、ＧＰＳユニット２により測位された削除操作位置を再生禁止位置として内蔵メモリ８に登録されている再生禁止画像が含まれている否かを判定する削除画像判定処理を行う（ステップＳ２０３）。
ここで、再生禁止画像が含まれていると判定されると（ステップＳ２０３；ＹＥＳ）、削除抑制処理ルーチンにより、ＣＰＵ９は、内蔵メモリ８から警告画面に係る表示制御データを読み出し当該表示制御データに基づいて、例えば、「現在位置にて再生できない画像ファイルＦ１も消去される」等の所定の警告画面を表示部５に表示させる（ステップＳ２０４）。
【００７２】
その後、ＣＰＵ９は、ユーザによる操作入力部６の画像全消去キー（図示略）が所定操作されたか否かを判定する（ステップＳ２０５）。そして、画像全消去キー（図示略）が所定操作されたと判定されると（ステップＳ２０５；ＹＥＳ）、ＣＰＵ９は、内蔵メモリ８に記憶されている全ての画像ファイルＦ１を消去させる（ステップＳ２０６）。また、ステップＳ２０３にて、再生禁止画像が含まれていないと判定された場合にも（ステップＳ２０３；ＹＥＳ）、ＣＰＵ９は、処理をステップＳ２０６に移行して、それ以降の処理を実行する。
【００７３】
一方、ステップＳ２０５にて、画像全消去キー（図示略）が所定操作されていないと判定されると（ステップＳ２０５；ＮＯ）、ＣＰＵ９は、画像消去処理を終了させる。
【００７４】
以上のように、実施形態２の撮像装置によれば、複数の画像ファイルＦ１、…の一括削除処理にて、削除操作位置を再生禁止位置としてシステムファイルＦ２に登録されている再生禁止画像がある場合に、一括削除処理を中止したり、当該一括削除前に所定の警告を行うことで複数の画像ファイルＦ１、…の一括削除を抑制するので、削除操作位置にて再生表示できずに内容確認できない画像ファイルＦ１を誤って削除してしまうのを防止することができる。
これにより、一括削除処理の利便性を高めて、撮像装置の使い勝手をより向上させることができる。
【００７５】
なお、上記実施形態２にあっては、消去される画像ファイルＦ１に再生禁止画像が含まれている場合には（ステップＳ２０３；ＹＥＳ）、所定の警告画面を表示するようにしたが（ステップＳ２０４）、これに限られるものではなく、再生禁止画像以外の画像を削除するようにしても良い。
これにより、一括削除処理にて、再生禁止画像は自動的に削除されずに記憶されたままの状態を維持することができ、当該一括削除処理の利便性をより高めることができる。
【００７６】
また、上記実施形態２にあっては、所定の警告画面の表示後（ステップＳ２０４）、ユーザによる操作入力部６の画像全消去キー（図示略）が所定操作された場合には（ステップＳ２０５；ＹＥＳ）、全ての画像ファイルＦ１を消去させ（ステップＳ２０６）、一方で、画像全消去キー（図示略）が所定操作されなかった場合には（ステップＳ２０５；ＮＯ）、全ての画像ファイルＦ１を消去しないようにしたが、警告画面の表示後に、ユーザにより指示された消去対象に応じて処理を分岐するようにしても良い。
即ち、図７に示すように、所定の警告画面の表示後（ステップＳ２０４）、ＣＰＵ９は、内蔵メモリ８から選択画面に係る表示制御データを読み出し当該表示制御データに基づいて、消去対象を選択する所定の選択画面を表示させて、ユーザによる消去対象の選択内容に応じて処理を分岐させる（ステップＳ２１５）。
ここで、全ての画像ファイルＦ１の消去が選択されると（ステップＳ２１５；全ての画像）、ＣＰＵ９は、内蔵メモリ８に記憶されている全ての画像ファイルＦ１を消去させる（ステップＳ２０６）。
一方、ステップＳ２１５にて、削除操作位置を再生許可位置とする画像の消去が選択されると（ステップＳ２１５；再生許可画像）、ＣＰＵ９は、内蔵メモリ８のシステムファイルＦ２を参照して、削除操作位置を再生許可位置として内蔵メモリ８に登録されている再生許可画像のみを消去させる（ステップＳ２１６）。
これにより、削除操作位置にて再生表示できずに内容確認できない画像ファイルＦ１を誤って削除してしまうのを防止することができるだけでなく、内容確認の不要な画像ファイルＦ１であればその場で一括削除することができるため、一括削除処理の利便性をより高めて、撮像装置の使い勝手をより向上させることができる。
【００７７】
［実施形態３］
以下に、実施形態３の撮像装置について図８を参照して説明する。
実施形態３の撮像装置は、図８に示すように、現在位置を測位できなかった場合に、再生制御情報として再生禁止位置が登録されている画像の再生を禁止する再生禁止処理を行う。
なお、実施形態３の撮像装置は、再生禁止処理を行う以外の点で上記実施形態１の撮像装置１００と略同様の構成をなし、その説明は省略する。
【００７８】
即ち、プログラムメモリに記憶されるプログラムは、測位判定処理ルーチン及び再生禁止処理ルーチンを含んでいる。
測位判定処理ルーチンは、ＣＰＵ９を測位判定手段として機能させるためのプログラム部分である。即ち、測位判定処理ルーチンは、ＧＰＳユニット２により現在位置が測位されて現在位置データを取得できたか否かを判定する測位判定処理に係る機能をＣＰＵ９に実現させるための命令群を含む。
【００７９】
再生禁止処理ルーチンは、測位判定処理にて現在位置データが取得できなかったと判定された場合に、内蔵メモリ８のシステムファイルＦ２に再生制御情報として再生禁止位置が登録されている画像の再生を禁止する再生禁止処理に係る機能をＣＰＵ９に実現させるための命令群を含む。
【００８０】
次に、再生処理について図８を参照して説明する。
図８は、再生処理に係る動作の一例を示すフローチャートである。
【００８１】
ユーザによる操作入力部６の所定操作に基づいて、画像再生モードが選択されると、再生制御処理ルーチンにより、ＣＰＵ９の制御下にて、ＧＰＳユニット２は、撮像装置の現在位置（例えば、地点Ａ）を測位する（ステップＳ３０１）。続けて、測位判定処理ルーチンにより、ＣＰＵ９は、ＧＰＳユニット２により現在位置が測位されて現在位置データを取得できたか否かを判定する（ステップＳ３０２）。
ここで、現在位置データを取得できたと判定されると（ステップＳ３０２；ＹＥＳ）、ＣＰＵ９は、図４に示す再生処理と同様の通常の再生処理を行う（ステップＳ３０３）。
【００８２】
一方、ステップＳ３０２にて、現在位置データを取得できなかったと判定されると（ステップＳ３０２；ＮＯ）、ＣＰＵ９は、内蔵メモリ８から報知画面に係る表示制御データを読み出し当該表示制御データに基づいて、例えば、「現在位置データを取得できませんでした」等の所定の報知画面（図示略）を表示部５に表示させる（ステップＳ３０４）。その後、ＣＰＵ９は、内蔵メモリ８のシステムファイルＦ２から表示部５に最初に再生表示する画像ファイルＦ１（例えば、CIMG0001.JPG）と対応付けられている再生制御情報を読み出す（ステップＳ３０５）。
そして、再生禁止処理ルーチンにより、ＣＰＵ９は、読み出した再生制御情報に何れかの地点で再生禁止位置が登録されているか否かを判定する（ステップＳ３０６）。
【００８３】
ここで、再生禁止位置が登録されていないと判定されると（ステップＳ３０６；ＮＯ）、ＣＰＵ９は、内蔵メモリ８から画像ファイルＦ１を読み出して、ＹＵＶ形式の画像データを生成した後、必要に応じて解像度変換処理を行って表示部５に出力して再生表示させる（ステップＳ５６）。
その後、ＣＰＵ９は、再生処理の対象となる画像を、内蔵メモリ８に記憶されている複数の画像ファイルＦ１、…の中で次の画像（例えば、CIMG0002.JPG）に変更設定する（ステップＳ５７）。
また、ステップＳ３０６にて、再生禁止位置が登録されていると判定されると（ステップＳ３０６；ＹＥＳ）、ＣＰＵ９は、当該再生表示に係る画像ファイルＦ１（例えば、CIMG0001.JPG）を読み出さずに、処理をステップＳ５７に移行させて、それ以降の処理を繰り返し実行する。
【００８４】
以上のように、実施形態３の撮像装置によれば、ＧＰＳユニット２により現在位置が測位できなかった場合であっても、システムファイルＦ２に再生禁止位置が登録されている画像の再生を禁止するので、不用意な再生によるプライバシーの流出を好適に防止することができる。
【００８５】
なお、上記実施形態３にあっては、現在位置データを取得できなかった場合に、再生禁止位置が登録されている画像の再生を禁止するようにしたが、これに限られるものではなく、例えば、図９に示すように、予めシステムファイルＦ３に現在位置データを取得できなかった場合（現在位置不明）の制御内容を登録しておき、その内容に応じて再生処理を制御するようにしても良い。
これにより、システムファイルＦ３に再生禁止位置が登録されていない画像ファイルＦ１が自動的に再生表示されてしまうことを防止して、プライバシーの流出を適正に防止することができる。
【００８６】
［実施形態４］
以下に、実施形態４の撮像装置について図１０を参照して説明する。
実施形態４の撮像装置は、図１０に示すように、所定順序で再生表示される複数の画像のうち、再生済みの画像を指示するしおり情報を記憶して、再生表示の再開の際に、しおり情報により指示される再生再開画像から再生表示する再開制御処理を行う。
なお、実施形態４の撮像装置は、再開制御処理を行う以外の点で上記実施形態１の撮像装置１００と略同様の構成をなし、その説明は省略する。
【００８７】
即ち、内蔵メモリ８のシステムファイルＦ２には、複数の再生制御位置に応じて、所定順序で再生表示される複数の画像のうち、再生済みの画像を指示するしおり情報が記憶されている。
ここで、内蔵メモリ８は、しおり情報を記憶するしおり記憶手段を構成している。
【００８８】
また、プログラムメモリに記憶されるプログラムは、再開制御処理ルーチンを含んでいる。
再開制御処理ルーチンは、ＣＰＵ９を再開制御手段として機能させるためのプログラム部分である。即ち、再開制御処理ルーチンは、内蔵メモリ８に記憶されている複数の画像ファイルＦ１、…のうち、システムファイルＦ２に記憶されているしおり情報によって指示される再生再開画像（再生済み画像）の表示部５による所定順序での再生表示を再開させる再開制御処理に係る機能をＣＰＵ９に実現させるための命令群を含む。
具体的には、この再開制御処理ルーチンにより、ＣＰＵ９は、システムファイルＦ２に記憶されている複数のしおり情報の中で、ＧＰＳユニット２により測位された現在位置に係るしおり情報を特定して、当該しおり情報に係る再生再開画像の表示部５による所定順序での再生を再開させる。
【００８９】
次に、再生処理について図１０を参照して説明する。
図１０は、再生処理に係る動作の一例を示すフローチャートである。
なお、以下に説明する再生処理にあっては、以前に所定位置（例えば、地点Ａ）で再生処理が行われて、再生済み画像に相当する再生再開画像を特定するためのしおり情報がシステムファイルＦ２に記憶されているものとする。
【００９０】
ユーザによる操作入力部６の所定操作に基づいて、画像再生モードが選択されると、再生制御処理ルーチンにより、ＣＰＵ９の制御下にて、ＧＰＳユニット２は、撮像装置の現在位置（例えば、地点Ａ）を測位して、現在位置データを生成して取得する（ステップＳ５１）。
【００９１】
続けて、再開制御処理ルーチンにより、ＣＰＵ９は、ＧＰＳユニット２により取得した現在位置データに基づいて、当該現在位置と対応付けられているしおり情報を内蔵メモリ８のシステムファイルＦ２から取得する（ステップＳ４０１）。続けて、ＣＰＵ９は、取得したしおり情報に基づいて、再生再開後に最初に再生表示される再生再開画像を特定した後（ステップＳ４０２）、内蔵メモリ８から再生再開画像の画像ファイルＦ１を読み出して、ＹＵＶ形式の画像データを生成した後、必要に応じて解像度変換処理を行って表示部５に出力して再生表示させる（ステップＳ５６）。
その後、ＣＰＵ９は、図４に示す再生処理と同様の通常の再生処理を行う（ステップＳ４０３）。当該通常の再生処理は、ユーザによる操作入力部６の所定操作に基づいて通常の再生処理の終了が指示されるまで繰り返し実行される（ステップＳ４０４；ＮＯ）。
【００９２】
そして、上記通常の再生処理の終了が指示されると（ステップＳ４０４；ＹＥＳ）、ＣＰＵ９は、通常の再生処理にて最後に再生表示された画像ファイルＦ１を特定するための情報を現在位置にて使用するしおり情報に上書きして処理を終了する（ステップＳ４０５）。
【００９３】
以上のように、実施形態４の撮像装置によれば、システムファイルＦ２には、複数の再生制御位置に応じてしおり情報を複数記憶し、これら複数のしおり情報の中で、ＧＰＳユニット２により測位された現在位置に応じてしおり情報を変更して再生再開画像を表示部５により所定順序で再生再開させるので、再生制御位置に応じて再生再開画像を管理することができ、再生制御位置毎に所定の再生再開画像を適正に再生することができる。
【００９４】
なお、上記実施形態４にあっては、所定順序で再生表示される複数の画像の中に、再生再開位置にて再生が禁止されている再生禁止画像が含まれていた場合に、画像の再生表示を中止するか、或いは、再生禁止画像が含まれている旨の警告を行うようにしても良い。
即ち、プログラムメモリに記憶されているプログラムは、再生画像判定処理ルーチン及び再開抑制処理ルーチンを含んでいる。
再生画像判定処理ルーチンは、ＣＰＵ９を再生画像判定手段として機能させるためのプログラム部分である。即ち、再生画像判定処理ルーチンは、再開制御処理ルーチンにより画像の再生が再開される際にＧＰＳユニット２により測位された再生再開位置を再生禁止位置としてシステムファイルＦ２に登録されている再生禁止画像が含まれている否かを判定する再生画像判定処理に係る機能をＣＰＵ９に実現させるための命令群を含む。
また、再開抑制処理ルーチンは、ＣＰＵ９を再開抑制処理手段として機能させるものである。即ち、再開抑制処理ルーチンは、再生画像判定処理にて、再生禁止画像が含まれていると判定された場合に、表示部５による所定順序での複数の画像の再生を中止するか、或いは、所定順序で再生される複数の画像の中に再生禁止画像が含まれている旨の警告を行う再開抑制処理に係る機能をＣＰＵ９に実現させるための命令群を含む。さらに、警告後、ＣＰＵ９は、複数の画像のうち、再生禁止画像以外の画像を表示部５により所定順序で再生させる。
これにより、複数の画像が所定順序で再生表示される途中で、再生再開位置にて再生が禁止されている再生禁止画像が含まれていた場合に、画像の再生表示を中止したり、再生禁止画像が含まれている旨の警告を行うことで、再生禁止画像が含まれていることをユーザに報知することができる。その後、再生禁止画像以外の画像を表示部５により再生表示することで、所定順序での画像再生の利便性をより高めて、撮像装置の使い勝手をより向上させることができる。
【００９５】
［実施形態５］
以下に、実施形態５の撮像装置について図１１を参照して説明する。
実施形態５の撮像装置は、図１１に示すように、撮像装置の現在位置を基準とした条件に加えて、顔認識処理の結果等の撮像装置の位置以外の他の条件に基づいて、表示部５による再生表示を制御する再生制御処理を行う。
なお、実施形態５の撮像装置は、顔認識結果に基づいた再生制御処理を行う以外の点で上記実施形態１の撮像装置１００と略同様の構成をなし、その説明は省略する。
【００９６】
即ち、内蔵メモリ８には、再生許可位置及び再生禁止位置に係る再生制御情報と対応付けられるとともに、顔認識処理にて用いられる顔認識用データを含む顔認識ファイル（図示略）が記憶されている。
ここで、顔認識用データとは、各個人の顔を特定するための情報であり、各個人の顔を撮像した顔画像データそのものであっても良いし、各個人の顔の特徴部分を表すデータであっても良い。
【００９７】
また、再生制御処理ルーチンは、撮像装置の現在位置に加えて顔認識処理の結果（位置以外の他の条件）に基づいて、表示部５による画像の再生を制御する再生制御処理に係る機能をＣＰＵ９に実現させるための命令群を含む。具体的には、この再生制御処理ルーチンにより、ＣＰＵ９は、顔認識ファイルの顔認識用データに基づいて、最初に再生表示される画像に含まれている顔画像を照合し、当該照合の結果、顔認識用データに登録されているいずれかの個人の顔と一致する顔画像を特定した場合には、顔認識用データ内の特定された個人と対応付けられている再生制御情報に基づいて、ＧＰＳユニット２により測位された現在位置における画像の再生表示の許否を判定する。そして、ＣＰＵ９は、判定結果に応じて表示部５による画像の再生表示を制御する。
【００９８】
次に、再生処理について図１１を参照して説明する。
図１１は、再生処理に係る動作の一例を示すフローチャートである。
【００９９】
ユーザによる操作入力部６の所定操作に基づいて、画像再生モードが選択されると、再生制御処理ルーチンにより、ＣＰＵ９の制御下にて、ＧＰＳユニット２は、撮像装置の現在位置（例えば、地点Ａ）を測位して、現在位置データを生成して取得する（ステップＳ５１）。
続けて、再生制御処理ルーチンにより、ＣＰＵ９は、内蔵メモリ８の顔認識ファイルから顔認識用データを取得した後（ステップＳ５０１）、最初に表示される画像から所定の顔検出処理により顔画像データを検出して、当該顔画像データと顔認識用データを比較照合する顔認識処理を行う（ステップＳ５０２）。
【０１００】
次に、ＣＰＵ９は、顔認識処理の結果、顔検出処理により画像内に検出された全ての顔に対して個人を認識できたか否かを判定する（ステップＳ５０３）。
ここで、画像内に検出された全ての顔に対して個人を認識できなかったと判定されると（ステップＳ５０３；ＮＯ）、ＣＰＵ９は、再生処理の対象となる画像を、内蔵メモリ８に記憶されている複数の画像ファイルＦ１、…の中で次の画像（例えば、CIMG0002.JPG）に変更設定した後（ステップＳ５７）、処理をステップＳ５０２に移行させて、それ以降の処理を繰り返し実行する。
【０１０１】
一方、ステップＳ５０３にて、画像内に認識できる顔が存すると判定されると（ステップＳ５０３；ＹＥＳ）、ＣＰＵ９は、顔認識用データ内において、認識された個人と対応付けられている再生制御情報を取得して（ステップＳ５０４）、ＧＰＳユニット２により測位された現在位置にて再生禁止位置が登録されているか否かを判定する（ステップＳ５０５）。
【０１０２】
ここで、再生禁止位置が登録されていないと判定されると（ステップＳ５０５；ＮＯ）、ＣＰＵ９は、内蔵メモリ８から画像ファイルＦ１を読み出して、ＹＵＶ形式の画像データを生成した後、必要に応じて解像度変換処理を行って表示部５に出力して再生表示させる（ステップＳ５６）。
その後、ＣＰＵ９は、処理をステップＳ５７に移行させて、それ以降の処理を繰り返し実行する。
一方、ステップＳ５０５にて、再生禁止位置が登録されていると判定されると（ステップＳ５０５；ＹＥＳ）、ＣＰＵ９は、当該再生表示に係る画像ファイルＦ１（例えば、CIMG0001.JPG）を読み出さずに、処理をステップＳ５７に移行させて、それ以降の処理を繰り返し実行する。
【０１０３】
以上のように、実施形態５の撮像装置によれば、現在位置を基準とした条件に加えて、顔認識処理の結果等の撮像装置の位置以外の他の条件に基づいて、表示部５による再生表示を制御するので、所望の再生位置に加えて画像内の顔の認識結果を考慮して当該画像の再生許否を制御できることとなって、不用意な再生によるプライバシーの流出を防止することができ、撮像装置の使い勝手を向上させることができる。
つまり、個人毎に再生禁止位置を指定することができ、その位置では再生して欲しくない個人の顔が画像内に写っていた場合には再生を禁止することで、個人毎にプライバシーを守ることができる。また、画像内に顔が検出されているが、個人までは特定できないような場合でも、安全を考慮して（検出された顔の中にその位置での再生を禁止すべき個人の顔が含まれていないとの確証が得られない場合は）、再生制御情報の如何に関わらずに再生を禁止することができる。
なお、個人を特定できない顔が検出されている場合に、他の個人を特定できた顔に対応する再生制御情報が再生許可を示す場合には、再生を許可するようにしてもよい。
【０１０４】
なお、上記実施形態５にあっては、撮像装置の位置以外の他の条件として、顔認識処理に係る顔認識用データを用いたが、これに限られるものではなく、例えば、現在の日付、撮影者、撮影位置、撮影日時、撮影機器、被写体情報、当該撮像装置のユーザ登録名を用いても良い。
【０１０５】
また、上記実施形態５にあっては、再生許可位置及び再生禁止位置に係る再生制御情報と顔認識用データ（他条件情報）とを対応付けて記憶して、これら再生制御情報及び顔認識用データに基づいて再生表示を制御するようにしたが、これに限られるものではなく、再生制御情報及び他条件情報のうち、何れかを一方を登録しておき、それにより画像の再生許否を指示するようにしても良い。
【０１０６】
［実施形態６］
以下に、実施形態６の撮像装置について図１２を参照して説明する。
実施形態６の撮像装置は、図１２に示すように、登録内容変更処理にて、再生制御情報が登録される全ての地点に対して再生禁止位置が設定される場合に、再生禁止位置の登録を抑制する。
なお、実施形態６の撮像装置は、登録内容変更処理を行う以外の点で上記実施形態１の撮像装置１００と略同様の構成をなし、その説明は省略する。
【０１０７】
即ち、プログラムメモリに記憶されるプログラムは、位置判定処理ルーチン及び変更許可処理ルーチンを含んでいる。
位置判定処理ルーチンは、ＣＰＵ９を位置判定手段として機能させるためのプログラム部分である。即ち、位置判定処理ルーチンは、ユーザによる操作入力部６の所定操作に基づく対象画像の再生許否内容の変更指示に係る当該対象画像の再生制御位置の他に、前回以前の登録操作で当該対象画像の再生が許可されている再生許可位置があるか否かを判定する位置判定処理に係る機能をＣＰＵ９に実現させるための命令群を含む。
具体的には、この位置判定処理ルーチンにより、ＣＰＵ９は、ユーザによる操作入力部６の所定操作に基づいて、一の再生制御位置にて再生許否の内容を再生禁止に変更する登録操作が行われた場合に、全ての再生制御位置にて対象画像の再生表示ができなくなるか否かを判定する。
【０１０８】
また、変更許可処理ルーチンは、ＣＰＵ９を変更許可手段として機能させるためのプログラム部分である。即ち、変更許可処理ルーチンは、位置判定処理にて当該対象画像の再生許可位置があると判定された場合に、内蔵メモリ８のシステムファイルＦ２に登録される対象画像の再生許否内容の変更を許可する変更許可処理に係る機能をＣＰＵ９に実現させるための命令群を含む。
【０１０９】
次に、登録内容変更処理について図１２を参照して説明する。
図１２は、登録内容変更処理に係る動作の一例を示すフローチャートである。
【０１１０】
登録内容変更処理は、既にシステムファイルＦ２に再生制御情報が登録されている状態で、ユーザによる操作入力部６の所定操作に基づいて登録モードが選択された場合に表示中の画像を対象画像として実行される処理である。
ユーザによる操作入力部６の所定操作に基づいて、再生制御情報として再生許可位置が設定されている再生制御位置にて、再生許可位置を再生禁止位置に変更する登録操作が行われると（ステップＳ６０１）、位置判定処理ルーチンにより、ＣＰＵ９は、全ての再生制御位置にて対象画像の再生表示が禁止となるか否かを判定する（ステップＳ６０２）。
【０１１１】
ここで、全ての再生制御位置にて対象画像の再生表示が禁止となると判定されると（ステップＳ６０２；ＹＥＳ）、ＣＰＵ９は、内蔵メモリ８から警告画面（図示略）に係る表示制御データを読み出し当該表示制御データに基づいて、「全ての位置で再生できなくなります。それでも設定しますか？」等の所定の警告画面を表示部５に表示させる（ステップＳ６０３）。
その後、ＣＰＵ９は、ユーザによる操作入力部６の所定操作に基づいて再生禁止位置の登録操作が再度行われたか否かを判定する（ステップＳ６０４）。そして、再生禁止位置の登録操作が行われたと判定されると（ステップＳ６０４；ＹＥＳ）、ＣＰＵ９は、システムファイルＦ２に再生制御位置を再生禁止位置として登録する（ステップＳ６０５）。
また、ステップＳ６０４にて、再生禁止位置の登録操作が行われていないと判定されると（ステップＳ６０４；ＮＯ）、ＣＰＵ９は、登録操作自体がなかったものと判断して、登録内容変更処理を終了する。
【０１１２】
一方、ステップＳ６０２にて、全ての再生制御位置にて対象画像の再生表示が禁止とならないと判定されると（ステップＳ６０２；ＮＯ）、変更許可処理ルーチンにより、ＣＰＵ９は、内蔵メモリ８のシステムファイルＦ２に登録される対象画像の再生許否内容の変更を許可して、処理をステップＳ６０５に移行させて、それ以降の処理を実行する。
【０１１３】
以上のように、実施形態６の撮像装置によれば、登録内容変更処理にて、再生制御情報が登録される全ての地点に対して再生禁止位置が設定される場合に、再生禁止位置の登録を抑制することができるので、その後に再生許可位置の設定ができなくなることを防止して、画像再生できる位置がなくなってしまうことを防止することができる。
【０１１４】
なお、上記実施形態６にあっては、全ての再生制御位置にて対象画像の再生表示が禁止となる場合に、所定の警告画面を表示した後、ユーザによる操作入力部６の操作内容に応じて処理を分岐させるようにしたが、これに限られるものではなく、例えば、全ての位置において再生不可能とならないように、全ての位置での再生禁止位置の設定を禁止するようにしても良い。即ち、かかる場合に、「全ての位置で再生できなくなるため、設定できませんでした」等の再生禁止位置の設定を禁止する報知画面を表示して、再生禁止位置の登録を行わないようにしても良い。
【０１１５】
また、本発明は、上記実施形態に限定されることなく、本発明の趣旨を逸脱しない範囲において、種々の改良並びに設計の変更を行っても良い。
【０１１６】
また、上記実施形態１〜６におけるシステムファイルＦ２の内容は一例であって、上記したものに限られるものではない。
【０１１７】
さらに、撮像装置１００の構成は、上記実施形態に例示したものは一例であり、これに限られるものではない。
また、画像再生装置として撮像装置を例示したが、これに限られるものではなく、撮像部１により生成した複数の画像ファイルを通信手段を介して接続されたコンピュータ等の外部機器に出力して、当該外部機器にて登録制御処理、再生制御処理、登録内容変更処理、削除画像判定処理、削除抑制処理、測位判定処理、再生禁止処理、再開制御処理、再生画像判定処理、再開抑制処理、位置判定処理、変更許可処理等を行うようにしても良い。
【０１１８】
加えて、上記実施形態では、登録手段、再生制御手段、登録内容変更手段、削除画像判定手段、削除抑制手段、測位判定手段、再生禁止手段、再開制御手段、再生画像判定手段、再開抑制手段、位置判定手段、変更許可手段としての機能を、ＣＰＵ９によって所定のプログラム等が実行されることにより実現される構成としたが、これに限られるものではなく、例えば、各種機能を実現するためのロジック回路等から構成しても良い。
【図面の簡単な説明】
【０１１９】
【図１】本発明を適用した実施形態１の撮像装置の概略構成を示すブロック図である。
【図２】図１の撮像装置の内蔵メモリに記憶されているシステムファイルの一例を模式的に示す図である。
【図３】図１の撮像装置による登録処理に係る動作の一例を示すフローチャートである。
【図４】図１の撮像装置による再生処理に係る動作の一例を示すフローチャートである。
【図５】図１の撮像装置の内蔵メモリに記憶されているフォルダ構成の一例を模式的に示す図である。
【図６】本発明を適用した実施形態２の撮像装置による画像消去処理に係る動作の一例を示すフローチャートである。
【図７】図６の撮像装置による画像消去処理に係る動作の一例を示すフローチャートである。
【図８】本発明を適用した実施形態３の撮像装置による再生処理に係る動作の一例を示すフローチャートである。
【図９】図８の撮像装置の内蔵メモリに記憶されているシステムファイルの一例を模式的に示す図である。
【図１０】本発明を適用した実施形態４の撮像装置による再生処理に係る動作の一例を示すフローチャートである。
【図１１】本発明を適用した実施形態５の撮像装置による再生処理に係る動作の一例を示すフローチャートである。
【図１２】本発明を適用した実施形態６の撮像装置による登録内容変更処理に係る動作の一例を示すフローチャートである。
【符号の説明】
【０１２０】
１００  撮像装置
１      撮像部
４      記録媒体
５      表示部
６      操作入力部
８      内蔵メモリ
９      ＣＰＵ
【図１】
2010062903.tif 000003
【図２】
2010062903.tif 000004
【図３】
2010062903.tif 000005
【図４】
2010062903.tif 000006
【図５】
2010062903.tif 000007
【図６】
2010062903.tif 000008
【図７】
2010062903.tif 000009
【図８】
2010062903.tif 000010
【図９】
2010062903.tif 000011
【図１０】
2010062903.tif 000012
【図１１】
2010062903.tif 000013
【図１２】
2010062903.tif 000014